(57)【要約】    【課題】  本発明は、本発明の目的は、曲率を持った鏡面板表面の汚れを低減するトラフ式太陽熱集熱装置を提供することにある。    【解決手段】  本発明のトラフ式太陽熱集熱装置は、曲率を有する鏡面板１０４について、該鏡面板の表裏を貫通する通気孔１０５を複数有する。前記通気孔は前記鏡面板表面から裏面への空気および土埃、砂粒の通過を可能とする。【選択図】  図１
2015010748.tif 000002
【特許請求の範囲】
【請求項１】
流体が管内を流下する集熱配管と、
曲率を有し太陽光を反射して前記集熱配管へ集光照射する鏡面板とを備えたトラフ式太陽熱集熱装置において、
前記鏡面板は複数個の通風孔を有しており、該通風孔は前記鏡面板の太陽光反射面から該裏面へと貫通して形成されていることを特徴とするトラフ式太陽熱集熱装置。
【請求項２】
請求項１に記載のトラフ式太陽熱集熱装置において、
前記通風孔は、前記鏡面板が前記集熱配管に太陽光を集光照射しているときに前記集熱配管の影となる部分に配置することを特徴とするトラフ式太陽熱集熱装置。
【請求項３】
請求項１に記載のトラフ式太陽熱集熱装置において、
前記通風孔は、前記集熱配管の軸手方向に沿って直線状に複数列に並んで配置することを特徴とするトラフ式太陽熱集熱装置。
【請求項４】
請求項１または２に記載のトラフ式太陽熱集熱装置において、
前記通風孔は一方向に細長い孔形状であり、該孔形状の長軸方向を前記集熱配管の軸手方向と角度を有して配置したことを特徴とするトラフ式太陽熱集熱装置。
【請求項５】
請求項１から４の何れかに記載のトラフ式太陽熱集熱装置において、
前記通風孔の孔貫通方向は、前記集熱配管の軸手方向から見て前記鏡面板の太陽光反射面の垂直方向に対して角度を有していることを特徴とするトラフ式太陽熱集熱装置。
【請求項６】
図６
請求項５に記載のトラフ式太陽熱集熱装置において、
複数の前記通風孔は、その孔貫通方向を複数種類としたことを特徴とするトラフ式太陽熱集熱装置。
【請求項７】
請求項１から６の何れかに記載のトラフ式太陽熱集熱装置において、
前記鏡面板を前記集熱配管の軸回転方向に回転可能と駆動するとともに前記鏡面板を加振する駆動装置を有することを特徴とするトラフ式太陽熱集熱装置。
【請求項８】
請求項１から６の何れかに記載のトラフ式太陽熱集熱装置において、
前記鏡面板を前記太陽熱集熱装置設置面と水平な方向に回転可能な位置変更機構と、前記太陽熱集熱装置設置場所の風向き計測手段とを有し、
前記位置変更機構により前記鏡面板を風向き方向へ向けるようにしたことを特徴とするトラフ式太陽熱集熱装置。
【請求項９】
請求項８に記載のトラフ式太陽熱集熱装置において、
前記位置変更機構は前記鏡面板を加振する機能を有することを特徴とするトラフ式太陽熱集熱装置。
【請求項１０】
請求項１から６の何れかに記載のトラフ式太陽熱集熱装置において、
前記鏡面板の太陽光反射面へ空気を吹き付ける放風ヘッドを備えたことを特徴とするトラフ式太陽熱集熱装置。
【請求項１１】
請求項１０に記載のトラフ式太陽熱集熱装置において、
前記放風ヘッドの取り付け位置が、太陽熱集熱装置の設置面に近い鏡面板の下端側であることを特徴とするトラフ式太陽熱集熱装置。
【請求項１２】
請求項１０または１１に記載のトラフ式太陽熱集熱装置において、
DDS運転の太陽熱発電プラントに適用される太陽熱集熱装置であって、前記放風ヘッドは、前記太陽熱発電プラントの停止前に、余剰回収熱分の発電による駆動されることを特徴とするトラフ式太陽熱集熱装置。
【請求項１３】
請求項８に記載のトラフ式太陽熱集熱装置において、
前記鏡面板の反射面側に電気集塵機を取り付けたこと特徴とするトラフ式太陽熱集熱装置。
【請求項１４】
請求項８に記載のトラフ式太陽熱集熱装置において、
ブラシ、布またはスポンジを鏡面板表面に接触させる機構を有することを特徴とするトラフ式太陽熱集熱装置。
【請求項１５】
請求項７から１４の何れかに記載のトラフ式太陽熱集熱装置において、
前記集熱配管内の加熱対象物の温度計測機能と、
前記太陽熱集熱装置設置場所の太陽光照射光度計測機能を有すると共に、
運転モードとして前記鏡面板の清掃モードを具備し、
前記温度計測機能と、前期太陽光照射光度計測機能による測定値に基づき前記清掃モードに移行する機能を有することを特徴とするトラフ式太陽熱集熱装置。
【請求項１６】
請求項１５に記載のトラフ式太陽熱集熱装置において、
前記太陽熱集熱装置は複数台あり、
前記太陽熱集熱装置が複数のグリッドに分類されており、
前記グリッド毎に前記集熱配管内の加熱対象物の温度計測機能と、
前記温度計測機能と、前期太陽光照射光度計測機能による測定値に基づき前記グリット毎に前記清掃モードに移行する機能を有することを特徴とするトラフ式太陽熱集熱装置。
【発明の詳細な説明】
【技術分野】
【０００１】
本発明は、曲率を有する鏡面板で太陽光を集熱配管に集光照射するトラフ式太陽熱集熱装置に関するものである。
【背景技術】
【０００２】
近年、化石燃料の消費量抑制や二酸化炭素の排出量低減を目的に、再生可能エネルギーを利用した発電・給湯・冷暖房に関する製品が開発され、実用化している。なかでも、太陽光により集熱器を加熱することで熱を得る太陽熱集熱装置は、集光過程でエネルギー密度の低い太陽光を集中可能な点、蓄熱によりエネルギーを貯蔵可能な点で優れる。太陽熱集熱装置の形式としてはタワー式、ディッシュ式、トラフ式等が提案されている。例としてトラフ式太陽熱集熱装置の構成を以下に述べる。
【０００３】
トラフ式太陽熱集熱装置は、曲率を持った鏡面板を太陽に向けて配置し、鏡面板からの反射光を、焦点に設置した集熱配管へ照射する。集熱配管内には、熱の利用用途に応じて溶融塩等の熱媒体や水、油などが流れており、集熱配管内部を流れる流体が、加熱された集熱配管との熱交換により熱を回収する。
【０００４】
なお、鏡面板は、太陽光の入射角を調整可能な可動式が一般的である。また、集熱配管は熱が効果的に回収されるよう、ガラス等の光透過性の高い材料で構成された透明断熱管を用い、管を真空断熱する。
【０００５】
ここで、太陽熱集熱装置の熱回収性能は、太陽光を反射する鏡面板の反射率、透明断熱管の光透過率の影響を受ける。熱回収性能を良好な状態に保つためには、鏡面板や透明断熱管の表面汚れを低減する必要がある。特に、太陽熱集熱装置を発電設備として適用する場合は、熱回収装置を大量に敷設しなければならず、熱回収性能を良好な状態に保つ清掃保守作業の省力化が課題となる。
【０００６】
なお、特許文献１には、パネル状の集熱部を内部に配設した集熱箱に透光孔を開孔した太陽熱温水装置の例が記載されている。
【先行技術文献】
【特許文献】
【０００７】
【特許文献１】特開平６−１１７７０３号公報
【発明の概要】
【発明が解決しようとする課題】
【０００８】
特許文献１が提案する方法は、筐体である集熱箱の透光採入部（平板）に透光孔を設けることで、集熱箱を境界壁として使用するときに外面側の透視確認を容易にするものであり、トラフ式太陽熱集熱装置の主要部品たる曲率を有する鏡面板の汚れ低減に関する技術ではない。
【０００９】
トラフ式太陽熱集熱装置は、太陽熱発電設備として利用されることが多い。この場合、太陽光の照射が強く、敷地の確保が可能な砂漠，荒野地帯に設置する。砂漠，荒野地帯では、風が土埃や砂粒を巻き上げ鏡面板に吹き付ける。鏡面板の太陽光反射面に土埃や砂粒が付着すると、太陽光の反射率が低下し熱回収性能が低下する課題がある。
【００１０】
また、鏡面板を利用した太陽熱集熱装置は、集光量の増加を目的に、近年鏡面板１枚辺りの寸法が大型化している。鏡面板の大型化により鏡面板の風に対する抵抗が増大する。特に、トラフ式太陽熱集熱装置の鏡面板は曲率を有しているため、風向によっては空気の流れが阻害され大きな空気抵抗が生じる。空気抵抗が増大すると、鏡面板を始めとする装置強度を高める必要が生じる。しかし、特許文献１が提案する方法は集熱板を自然風が吹きぬける流路上に設置する目的のものではない。
【００１１】
本発明の目的は、曲率を持った鏡面板表面の汚れを低減するトラフ式太陽熱集熱装置を提供することにある。
【課題を解決するための手段】
【００１２】
上記目的を達成するために、本発明のトラフ式太陽熱集熱装置は、流体が管内を流下する集熱配管と、曲率を有し太陽光を反射して前記集熱配管へ集光照射する鏡面板とを備えたトラフ式太陽熱集熱装置において、前記鏡面板は複数個の通風孔を有しており、該通風孔は前記鏡面板の太陽光反射面から該裏面へと貫通して形成されていることを特徴とする。
【発明の効果】
【００１３】
本発明によれば、曲率を持った鏡面板表面の汚れを低減するトラフ式太陽熱集熱装置を提供することができる。
【図面の簡単な説明】
【００１４】
【図１】通気孔を適用したトラフ式太陽熱集熱装置の概略図である。
【図２】本実施例のトラフ式太陽熱集熱装置の概略図である（実施例１）。
【図３】本実施例のトラフ式太陽熱集熱装置の概略図である（実施例２）。
【図４】本実施例のトラフ式太陽熱集熱装置の概略図である（実施例３）。
【図５】本実施例のトラフ式太陽熱集熱装置の概略図である（実施例４）。
【図６】本実施例のトラフ式太陽熱集熱装置の概略図である（実施例４）。
【図７】本実施例のトラフ式太陽熱集熱装置の概略図である（実施例５）。
【図８】本実施例のトラフ式太陽熱集熱装置の概略図である（実施例６）。
【図９】本実施例のトラフ式太陽熱集熱装置の概略図である（実施例６）。
【図１０】本実施例のトラフ式太陽熱集熱装置の概略図である（実施例７）。
【図１１】本実施例のトラフ式太陽熱集熱装置の概略図である（実施例８）。
【図１２】本実施例のトラフ式太陽熱集熱装置を採用した温水生成プラントの概略図である（実施例９）。
【図１３】本実施例の制御器の清掃モード指令生成ロジックの概略図である（実施例９）。
【図１４】本実施例のトラフ式太陽熱集熱装置を採用した温水生成プラントの概略図である（実施例１０）。
【発明を実施するための形態】
【００１５】
本発明のトラフ式太陽熱集熱装置は、曲率を有する鏡面板について、鏡面板の表裏を貫通する通気孔を複数設けている。この通気孔は鏡面板表面から裏面への空気の通過を可能とする。また、通気孔は土埃、砂粒など鏡面板表面に付着する汚れが通過可能な大きさとする。
【００１６】
本発明によれば、トラフ式太陽熱集熱装置において、鏡面板表面から通気孔を介して鏡面板裏面へ抜ける空気流を発生させる。この空気流により、鏡面板表面に付着する土埃や砂粒等の表面汚れを前記通気孔から空気とともに排出することで鏡面板表面の汚れを低減する。砂が曲率を持った鏡面板に堆積することも防げる。
【００１７】
汚れの低減により熱回収性能を良好な範囲に保ち長時間に渡り、トラフ式太陽熱集熱装置の運転継続が可能である。さらに、汚れを低減することで、定期的に実施しなければならない鏡面板の清掃保守期間を引き延ばし、清掃に係る労力の省力化が可能である。
【００１８】
また、鏡面板に強風が吹きつけた場合、通気孔を介して一部の空気を通過させることが可能であるため、鏡面板に生じる空気抵抗を低減する。
【００１９】
以下、本発明の実施の形態について、図面を用いて説明する。
【００２０】
先ず、本発明の適用対象とするトラフ式太陽熱集熱装置の概要、並びに後述する各実施例に共通する基本構造について図１（ａ）、（ｂ）により説明する。図１（ａ）は通気孔を適用したトラフ式太陽熱集熱装置の概略図である。太陽熱により加熱する熱媒体が流れる集熱配管１０１は内部を真空とし、断熱性能を高めたガラス製の透明断熱管１０２に納められ、支持脚１０３によって固定される。支持脚１０３は地面へと固定される。鏡面板１０４は太陽光の反射し、集熱配管１０１へ照射する。
【００２１】
ここで図１（ｂ）を参照する。図１（ｂ）は通気孔を適用したトラフ式太陽熱集熱装置を集熱配管１０１の軸手方向に対し垂直な方向に切断した断面図である。通気孔１０５は鏡面板１０４を貫通し、太陽光を反射する表面から裏面へと空気が通過可能である。鏡面板１０４の表面は、集熱配管１０１へ反射光を集めるため一点鎖線１０６を軸とする双曲線を形成する曲率を有する。鏡面板１０４が一点鎖線１０６と太陽光１０７の照射角度の差が小さいほど、集熱配管１０１に反射光が集中する。
【００２２】
再び図１（ａ）による説明に戻る。鏡面板１０４は前記曲率を維持するため側板１０８にて軸手方向の両端から形状を固定された上で補強される。鏡面板１０４は、反射光の焦点位置が集熱配管１０１に定まる軌道上を移動可能な状態で支持脚１０３に支持される。駆動装置１０９は電線１１０より供給される電力でモーターを駆動し、該電線１１０を介して送信される制御信号に従い前記鏡面板１０４の位置を変更および保持する。本発明における通気孔１０５はこの鏡面板１０４に複数個設けられ、これにより鏡面板表面の汚れを低減することを可能とする。上述の内容を基本構成とし、以下、本発明の各実施例について説明する。
【実施例１】
【００２３】
本発明の実施例１を図２（ａ）、（ｂ）により説明する。トラフ式太陽熱集熱装置の概要は先述した図１の説明の通りなので省略する。図２（ａ）は通気孔１０５を適用したトラフ式太陽熱集熱装置を、太陽光照射方向から見た概略図である。
【００２４】
図２（ｂ）は通気孔１０５の配置を示すため、図２（ａ）より集熱配管１０１、透明断熱管１０２を除した概略図である。破線２０１は集熱配管１０１の軸手方向中心線を表す。複数個の通気孔１０５は、集熱配管１０１の軸手方向に沿って、鏡面板１０４を貫通するように設けられる。なお、通気孔１０５は、鏡面板１０４による太陽光の集光を阻害しないよう、鏡面板１０４が集熱配管１０１に太陽光を集光照射しているときに集熱配管１０１の影となり、太陽光の反射量が少ない、破線２０１の鏡面板１０４への投影線上、若しくはその近傍の部分に設けるのが良い。ただし、通気孔１０５の面積が小さいのであればこの限りではない。なお、通気孔１０５が砂粒で閉塞すると本発明が期待する効果が失われる。従って、砂粒の大きさを勘案して、通気孔１０５の大きさについては少なくとも5mm以上を有していることが望ましい。
【００２５】
また、矢印２０２は空気の流れを示している。空気は鏡面板１０４の表面上を、曲率に沿って流れながら土埃、砂粒等の汚れを吹き飛ばす。従って、通気孔１０５は集熱配管１０１の軸手方向に広く分布するのが良い。前記分布により、通気孔１０５へと導かれる空気の流量が増大し、鏡面板１０４の裏面へ土埃、砂粒等の汚れを効果的に排出でき、鏡面板１０４に生じる空気抵抗を緩和しやすい構成とすることが可能である。
【００２６】
本実施例によれば、鏡面板１０４の表面から通気孔１０５を介して鏡面板裏面へ抜ける空気流を発生させる。この空気流により、鏡面板１０４の表面に付着する土埃や砂粒等の表面汚れを通気孔１０５から空気とともに排出することで、鏡面板表面の汚れを低減することができる。また、通気孔１０５の存在により、砂が曲率を持った鏡面板に堆積することも抑制可能となる。
【実施例２】
【００２７】
本発明の実施例２を図３により説明する。トラフ式太陽熱集熱装置の概要は先述した図１の説明の通りなので省略する。図３は、図２（ｂ）と同じくトラフ式太陽熱集熱装置を、集熱配管１０１、透明断熱管１０２を除した上で太陽光照射方向から見た概略図である。
【００２８】
本実施例においては、通気孔１０５Ａを集熱配管１０１の軸手方向に平行な、複数列の直線上に配した点が特徴である。配置の際、通気孔１０５Ａは集熱配管１０１の影になり光量が低下する部分に配し、集熱配管１０１の集光を阻害しない位置とする。異なる直線状に配される通気孔１０５Ａ同士は、集熱配管１０１の軸手方向に関して、互いに開口部をオーバーラップさせた状態で位置をずらして配置する（図３では通気孔１０５Ａを２列で且つ千鳥状に配置した例を示している）。該配置方法により、鏡面板１０４の両端（側板１０８側）を除き、鏡面板１０４に対して、集熱配管１０１の軸手方向全体にわたって通気孔１０５Ａが設けられる。これにより、実施例１にて説明した通気孔１０８に比して、より効果的に土埃、砂粒等の汚れを排出可能で、鏡面板１０４に生じる空気抵抗を緩和しやすい構成とすることが可能である。
【実施例３】
【００２９】
本発明の実施例３を図４（ａ）、（ｂ）により説明する。トラフ式太陽熱集熱装置の概要は先述した図１の説明の通りなので省略する。図４（ａ）は、図２（ｂ）と同じくトラフ式太陽熱集熱装置を、集熱配管１０１、透明断熱管１０２を除した上で太陽光照射方向から見た概略図である。
【００３０】
本実施例においては、通気孔１０５Ｂの孔形状の長軸方向を集熱配管１０１の軸手方向に対して角度をつけて配した点が特徴である。なお、通気孔１０５を集熱配管１０１の軸手方向に沿って複数設ける点は前述の実施例と同様である。配置の際、通気孔１０５Ｂは集熱配管１０１の影になり光量が低下する部分に配し、集熱配管１０１の集光を阻害しない位置とする。
【００３１】
ここで図４（ｂ）を参照する。図４（ｂ）は実施例２による通気孔１０５Ａおよび実施例３による通気孔１０５Ｂを拡大比較した図である。点線４０１は各々の通気孔の長軸を示している。実施例３による通気孔１０５Ｂの配置方法によれば、同一列の個々の通気孔の長軸方向（点線４０１）が同一線上になることを防ぐことができる。風が吹き付けることにより生じる空気抵抗により、鏡面板１０４に応力が生じ、亀裂が進展してしまった場合、実施例２の通気孔１０５Ａの配置方法は各々の通気孔１０５Ａの亀裂がつながってしまう可能性があるが、実施例３の通気孔１０５Ｂの配置方法によれば、各々の通気孔１０５Ｂの長軸が同一線上にならないため、実施例２の配置方法に比して鏡面板１０４の空気抵抗に対する強度を向上できる。
【００３２】
また、集熱配管１０１の軸手方向（破線２０１方向）に配される通気孔１０５Ｂは、各々の通気孔１０５Ｂの長軸方向（点線４０１方向）を平行配置としつつ、集熱配管１０１の軸手方向（破線２０１方向）に隣接する通気孔１０５Ｂの両端を互いにオーバーラップさせた状態とすることにより、実施例２と同様に効果的に土埃、砂粒等の汚れを排出することができる。
【実施例４】
【００３３】
本発明の実施例４を図５（ａ）、（ｂ）、図６により説明する。トラフ式太陽熱集熱装置の概要は先述した図１の説明の通りなので省略する。図５（ａ）は鏡面板１０４の表面に対し鉛直または鉛直に近い角度で通気孔１０５を貫通させた場合の概略図である。鏡面板１０４周囲の空気の流れは通気孔１０５の貫通方向に沿って形成される。このため、図５（ａ）の貫通方式の場合、空気の流れが鏡面板１０４表面上だけでなく、矢印５０１に示す空気の流れが発生し、集熱配管１０１を納めた透明断熱管１０２周囲の空気の流れまで引き起こす要因となる。透明断熱管１０２周囲の空気の流れが強くなると、空気と透明断熱管１０２との熱交換により、熱回収性能が低下する可能性がある。
【００３４】
一方、本発明の実施例４の通気孔１０５Ｃ貫通方向を図５（ｂ）により説明する。本実施例の通気孔１０５Ｃは、鏡面板１０４の表面（反射面）に対し、鏡面板１０４の曲率方向（鏡面板表面の曲面の接線の垂直方向）に角度をもって貫通する。このような貫通方向とすることにより、空気の流れは矢印５０１Ｃに示すように変化し、図５（ａ）の貫通方式の場合に比して鏡面板１０４の表面近くの空気の流れを強く引き起こすことができる。これにより、空気と透明断熱管１０２との熱交換により、熱回収性能が低下する可能性を低減できるほか、鏡面板１０４の表面汚れを空気の流れにより吹き飛ばす効果も大きくなる。
【００３５】
なお、通気孔１０５Ｃ貫通方向を鏡面板１０４の表面鉛直方向に対し傾ける場合、複数個ある通気孔１０５Ｃの傾き方向を図６に示すように複数種類（通気孔１０５Ｃの傾き方向を交互に異なる方向）とすることで、鏡面板１０４表面の広い範囲へ空気流の発生を促すことができる。
【実施例５】
【００３６】
本発明の実施例５を図７（ａ）、（ｂ）により説明する。発明を実施するための形態で前述した通り、一般にトラフ式太陽熱集熱装置は鏡面板１０４の駆動装置１０９を備えている。図７（ａ）に示すように、通常は鏡面板１０４が有する曲率の軸方向（一点鎖線１０６方向）と、太陽光の入射角とを近づけることができるよう位置を調整し、太陽光の反射光焦点位置を集熱配管１０１に定め熱回収性能を向上する。
【００３７】
本発明の実施例５では、トラフ式太陽熱集熱装置の運転モードの一つとして清掃モードを有し、清掃モードに移行した場合、制御指令により図７（ｂ）に示すように駆動装置１０９により鏡面板１０４を加振し、鏡面板１０４の表面上に堆積する土埃、砂粒等の汚れを振るい落とす。なお、図７（ｂ）では状態を比較しやすいように鏡面板１０４は表面の外形線１０４Ａ、１０４Ｂ、１０４Ｃのみ表記している。外形線１０４Ａが熱回収性能を高めるため鏡面板１０４が有する曲率の軸方向と、太陽光の入射角とを近づけた位置である。鏡面板１０４が通気孔１０５を有していない場合は、汚れを鏡面板１０４の外縁から落とすので鏡面板１０４を大きく傾ける必要がある。一方、通気孔１０５を有する本実施例の場合には、鏡面板１０４の中央付近からも汚れを排出できるため、通気孔１０５を有していない場合に比して効率よく汚れを排出できる。また、鏡面板１０４を大きく傾けずとも、通気孔１０５から汚れを排出できるため、駆動装置１０９が消費する電力を抑えることもでき経済的である。
【実施例６】
【００３８】
本発明の実施例６を図８、図９（ａ）、（ｂ）により説明する。トラフ式太陽熱集熱装置の概要は先述した図１の説明の通りなので省略するが、図８に示すように本実施例の太陽熱集熱装置は水平方向駆動装置８０１（位置変更機構）により、鏡面板１０４を水平方向に回転可能な構成とし、風向計８０２により、太陽熱集熱装置設置環境における風向きを計測し、水平方向駆動装置８０１へと送信可能である。図９（ａ）に示すように、通常の通常運転モードでは、鏡面板１０４が風から受ける空気抵抗を低減するため、風向きと集熱配管１０１の軸手方向とを近づけるよう角度調整する。
【００３９】
一方で、清掃モードに移行した場合、制御指令により図９（ｂ）に示すように水平方向駆動装置８０１により鏡面板１０４を水平方向に回転させ、矢印９０１にて示した風向きと、破線２０１にて示した集熱配管１０１の軸手方向とが垂直に近づくよう角度調整する。これにより、鏡面板１０４の表面に吹き付ける空気流量が増加し、通気孔１０５から土埃、砂粒等の汚れを排出する効果を高めることができる。さらに、水平方向駆動装置７０１による鏡面板１０４の加振機能により鏡面板１０４の表面上に堆積する土埃、砂粒等の汚れを通気孔１０５から振るい落とすことが可能となり、効果的に鏡面板１０４の汚れを低減できる。
【００４０】
一般にトラフ式太陽熱集熱装置はアレイ構成されることが多い。アレイ構成された場合は水平方向の回転は透明断熱管の形状自由度が低いためアレイ全体を１つの装置として水平方向に回転させる構成とする。一般家庭向けなど、トラフ式太陽熱集熱装置が単体構成となった場合、図７（ａ）に示す構成をとることができ水平方向の回転自由度が高いため、清掃モードに移行した場合に鏡面板１０４の汚れを低減する効果が高い。
【実施例７】
【００４１】
本発明の実施例７を図１０（ａ）、（ｂ）により説明する。トラフ式太陽熱集熱装置の概要は先述した図１の説明の通りなので省略する。図１０（ａ）は放風ヘッド１００１を取り付けたことを特徴とする、通風孔１０５を有するトラフ式太陽熱集熱装置である。放風ヘッド１００１は鏡面板１０４に固定され、送風配管１００２が接続される。送風配管１００２はブロワ等の送風装置（図示省略）に接続されており、空気を放風ヘッド１００１へと送ることが可能である。送風配管１００２の材質は、鏡面板１０４が可動であることを考慮してフレキシブル性を有しているものが良い。
【００４２】
ここで図１０（ｂ）を参照する。図１０（ｂ）は放風ヘッド１００１を鏡面板１０４側から見た概略図である。放風ヘッド１００１には放風口１００３が設けてあり、送風配管１００２から送られる空気は放風口１００３から鏡面板１０４に吹き付け、矢印１００４で示した空気の流れを発生させる。放風口１００３は、鏡面板１０４に対して空気の流れが集熱配管１０１の軸手方向に広がるように配する。
【００４３】
再び図１０（ａ）による説明に戻る。通常はブロワを駆動させず、放風口１００３から空気を放風しない。鏡面板１０４の汚れを低減するため清掃モードに移行した場合、制御指令によりブロワを駆動し、放風口１００３より空気を吹き付ける。放風口１００３から吹き付けられる空気により、鏡面板１０４の表面に吹き付ける空気流量が増加し、通気孔１０５から土埃、砂粒等の汚れを排出する効果を高めることができる。なお、放風ヘッド１００１を取り付けるのは鏡面板１０４の地面に近い側が良い。これは、送風配管１００２の引き回しが容易となる点、鏡面板１０４の上端部に付着した土埃、砂粒等の汚れは重力の効果で通気孔１０５へ流れやすいが、下端側は土埃、砂粒等の汚れが堆積しやすく、前記汚れを吹き飛ばすことが可能となるためである。
【００４４】
また、ブロワを駆動して送風を行うタイミングは任意であるが、例えば、DSS(daily start and stop：毎日発停)運転向けの太陽熱発電に適用する場合は、夕刻のプラント停止直前に太陽熱集熱装置の余剰の回収熱によりブロワを駆動し送風することで、日々、鏡面板１０４の表面を太陽光反射に良好な状態に維持することができる。
【実施例８】
【００４５】
本発明の実施例８を図１１（ａ）、（ｂ）により説明する。トラフ式太陽熱集熱装置の概要は先述した図１の説明の通りなので省略する。図１１（ａ）は鏡面板の反射面側に電機集塵機１１０１を取り付けたことを特徴とする、通風孔１０５を有するトラフ式太陽熱集熱装置の概略図である。電気集塵機１１０１は集熱配管１０１の軸手方向と平行に配置し、通気孔１０５の近傍に配置する。電源は駆動装置１０９から分岐する。
【００４６】
通常運転の場合、電気集塵機１１０１は停止している。
【００４７】
図１１（ｂ）は前記太陽熱集熱装置の断面図である。清掃モードに移行した場合に電気集塵機１１０１の電源を入力し、鏡面板１０４の表面上に付着する汚れを吸着する。図中に示すように、例えば砂粒１１０２を吸着し、通気孔１０５付近で再び電源を電気集塵機１１０１の電源を切断することで、砂粒１１０２は電気集塵機１１０１を離れ、通気孔１０５を通過して鏡面板１０４の裏側へ排出される。
【００４８】
さらに、駆動装置１０９により鏡面板１０４を動作させることで鏡面板１０４表面の広い範囲に電気集塵機１１０１を近づけ、汚れを吸着可能である。以上の操作により、電気集塵機１１０１を有していない場合に比して効率よく汚れを排出できる。本実施例においては汚れの吸着機構として電気集塵機１１０１を設置したが、代替機構としてブラシ、布、スポンジ等、鏡面板１０４の表面を傷つけない素材を電気集塵機１１０１配置部分に配置し、清掃モードのオンオフにより出し入れする機構としても良い。
【実施例９】
【００４９】
本発明の実施例９を図１２、１３により説明する。トラフ式太陽熱集熱装置の概要は先述した図１の説明の通りなので省略する。図１２は本発明のトラフ式太陽熱集熱装置を採用した温水生成プラントの概略図である。給水タンク１２０１には加熱対象である真水が充填されている。真水は給水配管から送水ポンプ１２０２を経由してトラフ式太陽熱集熱装置１２０３のグリッドへと送水される。トラフ式太陽熱集熱装置１２０３にて加熱された真水は温水として温水タンク１２０４に貯蔵される。貯蔵された温水は需要が生じる度に、流量調整弁１２０５を介して供給される。温度計１２０６は温水タンク１２０４へ流入する温水温度を計測し、光度計１２０７はトラフ式太陽熱集熱装置１２０３へ照射する太陽光の光度を計測する。温度計１２０６、光度計１２０７の計測値は制御器１２０８へと送信される。制御器１２０８は各トラフ式太陽熱集熱装置に対し、鏡面板１０４の位置指令を出力する他、実施例５、６、７、８にて述べた清掃モードの制御指令を送信可能である。
【００５０】
図１３は制御器１２０８の清掃モード指令生成ロジックの概略図である。制御器１２０８には実測結果に基づく、あるいは解析によって予め計算した関数１３０１が設定されている、関数１３０１は光度計１２０７の計測値に対し、温度計１２０６で計測する温水温度の予測値を出力する。バイアス信号発生器１３０２は温水温度の許容できる低下量が設定されている。関数１３０１の出力からバイアス信号発生器１３０２の出力を差し引いた値と温度計１２０６の計測値を比較器１３０３にて比較し、温度計１２０６の計測値の方が小さい場合には臨時清掃モード指令を出力し、清掃モード発令ロジック１３０４へ送信する。清掃モード発令ロジック１３０４は定期清掃などのスケジュールに則って清掃モード指令を生成するが、比較器１３０３より臨時清掃モード指令を受信した場合、実施例５、６、７、８にて述べた清掃モードを実施すべくトラフ式太陽熱集熱装置１２０３へ清掃モード指令を送信可能である。
【００５１】
以上により、鏡面板１０４表面に汚れが付着し、トラフ式太陽熱集熱装置１２０３の熱回収性能が低下した場合、制御器１２０８が有する機能により清掃モード指令を出力しトラフ式太陽熱集熱装置１２０３の熱回収性能の改善を図る運転が可能となり、保守性能を向上した温水生成プラントの提供が可能である。
【実施例１０】
【００５２】
本発明の実施例１０を図１４により説明する。トラフ式太陽熱集熱装置の概要は先述した図１の、温水生成プラントの概要は先述した図１２の、制御器の清掃モード指令生成ロジックの概要は先述した図１３の説明の通りなので省略する。図１４は本実施例のトラフ式太陽熱集熱装置を採用した温水生成プラントのトラフ式太陽熱集熱装置構成の概略図である。
【００５３】
本実施例ではトラフ式太陽熱集熱装置をグリット１集熱装置１４０１、グリット２集熱装置１４０２、グリットＮ集熱装置１４０３にグループ分けする。本実施例のグループ分けはＮ組としたが、数は特定するもののではなく前記温水生成プラントの形式に合わせて自由に変更できる。各グリッドにはグリット１温度計１４０４、グリット２温度計１４０５、グリットＮ温度計１４０６が設けられており各グリットで加熱した温水温度を計測可能である。グリット１温度計１４０４、グリット２温度計１４０５、グリットＮ温度計１４０６、光度計１２０７の計測値は制御器１２０８へと送信される。制御器１４０７は前記グリッド毎に実施例で説明した清掃モード指令を送信可能である。
【００５４】
以上により、鏡面板１０４表面に汚れが付着し、グリット１集熱装置１４０１、グリット２集熱装置１４０２、グリットＮ集熱装置１４０３いずれかの熱回収性能が低下した場合、制御器１４０７が有する機能により該当するグリット集熱装置に清掃モード指令を出力し、該当するグリット集熱装置の熱回収性能の改善を図る運転が可能となり、保守性能を向上した温水生成プラントの提供が可能である。
【００５５】
清掃モード指令出力先を各々のグリッドへと別々に出力できることから、清掃モードを実施するトラフ式太陽熱集熱装置の数を低減でき、清掃モード実施中による温水生成プラントの熱回収性能低下量を実施例９に比して縮小できる。また、清掃モードを実施するトラフ式太陽熱集熱装置の数を必要以上に増やさないため省電力化可能である。
【００５６】
本実施例ではグリッドを並列に構成したが、直列のグリッド構成でも適用可能である。直列グリッド構成の場合は、関数１３０１で出力する値を各グリッドにおける温水の温度上昇量の予測値に変更し、比較対象となる計測温度についてもグリッド前後の計測温度の差分に変更すると良い。
【符号の説明】
【００５７】
１０１…集熱配管、１０２…透明断熱管、１０３…支持脚、１０４…鏡面板、
１０４Ａ…実線（鏡面板表面の外形線を表す）、
１０４Ｂ…破線（鏡面板表面の外形線を表す）、
１０４Ｃ…破線（鏡面板表面の外形線を表す）、
１０５…通気孔、１０５Ａ…通気孔、１０５Ｂ…通気孔、１０５Ｃ…通気孔、
１０６…一点鎖線（鏡面板曲率の双曲線軸を表す）、１０７…太陽光、
１０８…側板、１０９…駆動装置、１１０…電線
２０１…破線（集熱配管の軸手方向中心線を表す）、
２０２…矢印（空気の流れを表す）、
４０１…点線（各通気孔の長軸方向を表す）
５０１…矢印（空気の流れを表す）、５０１Ｃ…矢印（空気の流れを表す）
８０１…水平方向駆動装置、８０２…風向計
９０１…矢印（風向きを表す）
１００１…放風ヘッド、１００２…送風配管、
１００３…矢印（放風される空気の流れを表す）、１００４…放風口
１１０１…電気集塵機、１１０２…砂粒
１２０１…給水タンク、１２０２…送水ポンプ、
１２０３…トラフ式太陽熱集熱装置、１２０４…温水タンク、
１２０５…流量調整弁、１２０６…温度計、
１２０７…光度計、１２０８…制御器
１３０１…関数、１３０２…バイアス信号発生器、１３０３…比較器、
１３０４…清掃モード発令ロジック
１４０１…グリット１集熱装置、１４０２…グリット２集熱装置、
１４０３…グリットN集熱装置、１４０４…グリット１温度計、
１４０５…グリット２温度計、１４０６…グリットN温度計、
１４０７…制御器
【図１】
2015010748.tif 000003
【図２】
2015010748.tif 000004
【図３】
2015010748.tif 000005
【図４】
2015010748.tif 000006
【図５】
2015010748.tif 000007
【図６】
2015010748.tif 000008
【図７】
2015010748.tif 000009
【図８】
2015010748.tif 000010
【図９】
2015010748.tif 000011
【図１０】
2015010748.tif 000012
【図１１】
2015010748.tif 000013
【図１２】
2015010748.tif 000014
【図１３】
2015010748.tif 000015
【図１４】
2015010748.tif 000016